(57)【要約】【課題】電気機器用筐体において、貼付面を間違えずにトッププレートをトップカバーに貼り付けることができる。【解決手段】筐体４は、天板５１を有するトップカバー５と、電子部品３が載置される底板６１を有するボトムシャーシ６を備える。トップカバー５は、板状の重りであるトッププレート５２を有し、天板５１が電子部品３を覆うようにしてボトムシャーシ６に取り付けられている。トッププレート５２は、天板５１の下面に貼り付けられ、天板５１への貼付面５４と反対側の面に突出した凸部５５を有する。筐体４は、作業者が間違えて貼付面５４と反対側の面でトッププレート５２をトップカバー５に取り付けようとしても、凸部５５が邪魔して取り付けることができない。これにより、作業者が貼付面５４の判別を誤ることなくトッププレート５２をトップカバー５に貼り付けることができる。【選択図】図１
2011129228.tif 000002
【特許請求の範囲】
【請求項１】
天板を有するトップカバーと、電子部品が載置される底板を有するボトムシャーシを備え、前記天板が前記電子部品を覆うようにして前記トップカバーが前記ボトムシャーシに取り付けられている電気機器用筐体において、
前記トップカバーは、板状の重りであるトッププレートを有し、
前記トッププレートは、前記天板の下面に貼り付けられ、前記天板への貼付面と反対側の面に突出した凸部を有することを特徴とする電気機器用筐体。
【請求項２】
前記ボトムシャーシは、前記底板上に設置され、前記トッププレートに当接する支持部を有し、
前記支持部は、前記トッププレートが前記天板から脱離したとき、該トッププレートを支持することを特徴とする請求項１に記載の電気機器用筐体。
【発明の詳細な説明】
【技術分野】
【０００１】
本発明は、光ディスク装置などの電気機器に用いられる電気機器用筐体に関する。
【背景技術】
【０００２】
従来から、ＢＤ（Blu-ray Disc）、ＤＶＤ（Digital Versatile Disc）又はＣＤ（Compact Disc）等の光ディスクに対するデータの再生又は記録を行うための光ピックアップを備えた光ディスク装置などの電気機器に用いられる種々の電気機器用筐体（以下、筐体という）が知られている（例えば、特許文献１、特許文献２及び特許文献３参照）。このような筐体を備える光ディスク装置は、できるだけ低コストを実現するためにさまざまな工夫がなされているが、その反面筐体の重量が軽いために筐体の振動などによって光ピックアップの安定した動作を確保できない虞がある。そのため、高価格機種においては、筐体の重量を重くして光ピックアップの動作を安定させることが望まれているが、比較的生産量の少ない高価格機種のために別に筐体を設計し製作することは合理的ではない。そこで、筐体に重りを取り付けることで装置の重量を重くし、光ピックアップの安定した動作を確保することが考えられる。
【０００３】
図４及び図５は、そのような筐体の重量を増加させた光ディスク装置１０１の構成を示す。この光ディスク装置１０１は、光ピックアップ（図示せず）を有するローダー１０２と、ローダー１０２を駆動制御するための電子部品１０３と、板状の重りであるトッププレート１５２が取り付けられた筐体１０４を備える。
【０００４】
筐体１０４は、天板１５１を有するトップカバー１０５と、ローダー１０２や電子部品１０３が載置される底板１６１を有するボトムシャーシ１０６と、ボトムシャーシ１０６に取り付けられるフロントパネル１０７を有する。トップカバー１０５は、天板１５１の下面にトッププレート１５２が貼り付けられ、天板１５１が電子部品１０３やローダー１０２を覆うようにしてボトムシャーシ１０６に取り付けられる。
【０００５】
トッププレート１５２の天板１５１への取り付けは、ねじ止めで行うとトップカバー１０５の表面に露出するねじが多くなって意匠上好ましくなく、また、低コストを実現するため、トッププレート１５２の貼付面１５４と天板１５１の下面を両面テープ１５３で貼り合わせることによって行う。貼付面１５４は、トップカバー１０５からトッププレート１５２が脱離し難くなるように、両面テープ１５３との密着性を向上させるための加工が施されており、図４において灰色で示される。光ディスク装置１０１は、トッププレート１５２によって装置の重量が重くなるので、光ピックアップの安定した動作を確保することができる。
【０００６】
しかし、トップカバー１０５へのトッププレート１５２の貼付は、手作業で行われているので、作業者が貼付面１５４の判別を誤ってしまい、貼付面１５４と反対側の面を天板１５１に貼り付けてしまう間違いが発生する虞がある。間違えて貼付面１５４と反対側の面を天板１５１に貼り付けたとき、貼付面１５４と反対側の面は、密着性を向上させるための加工が施されていないので、天板１５１との密着性が低くなり、トッププレート１５２がトップカバー１０５から脱離し易くなる。
【０００７】
また、図５に示されるように、光ディスク装置１０１は、経年劣化による両面テープ１５３の粘着力の低下によって、トッププレート１５２が天板１５１から脱離して矢印方向に落下したとき、電子部品１０３が脱離したトッププレート１５６（破線で囲まれたトッププレート）と接触して損傷する虞がある。
【先行技術文献】
【特許文献】
【０００８】
【特許文献１】特開２００２−１５８４５４号公報
【特許文献２】特許第２６１５９８１号公報
【特許文献３】実登第２５０１８１７号公報
【発明の概要】
【発明が解決しようとする課題】
【０００９】
本発明は、上記問題を解決するためになされたものであり、貼付面を間違えずにトッププレートをトップカバーに貼り付けることができる電気機器用筐体を提供することを目的とする。
【課題を解決するための手段】
【００１０】
上記目的を達成するために請求項１の発明は、天板を有するトップカバーと、電子部品が載置される底板を有するボトムシャーシを備え、前記天板が前記電子部品を覆うようにして前記トップカバーが前記ボトムシャーシに取り付けられている電気機器用筐体において、前記トップカバーは、板状の重りであるトッププレートを有し、前記トッププレートは、前記天板の下面に貼り付けられ、天板への貼付面と反対側の面に突出した凸部を有するものである。
【００１１】
請求項２の発明は、請求項１に記載の電気機器用筐体において、前記ボトムシャーシは、前記底板上に設置され、前記トッププレートに当接する支持部を有し、前記支持部は、前記トッププレートが前記天板から脱離したとき、該トッププレートを支持するものである。
【発明の効果】
【００１２】
請求項１の発明によれば、作業者が間違えて貼付面と反対側の面でトッププレートをトップカバーに取り付けようとしても、凸部が邪魔をして取り付けることができない。これにより、作業者が貼付面の判別を誤ることなくトッププレートをトップカバーに貼り付けることができる。
【００１３】
請求項２の発明によれば、トッププレートがトップカバーから脱離したとき、トッププレートが支持部に支持されて落下しない。これにより、電子部品が脱離したトッププレートと接触して損傷することを防止することができる。
【図面の簡単な説明】
【００１４】
【図１】本発明の一実施形態に係る電気機器用筐体を用いた光ディスク装置の斜視図。
【図２】同光ディスク装置の断面図。
【図３】同電気機器用筐体のトッププレートが貼り付けられたトップカバーの斜視図。
【図４】従来の電気機器用筐体を用いた光ディスク装置の斜視図。
【図５】同光ディスク装置の断面図。
【発明を実施するための形態】
【００１５】
本発明の一実施形態に係る電気機器用筐体（以下、筐体という）を用いた電気機器である光ディスク装置について、図１乃至図３を参照して説明する。光ディスク装置１は、光ピックアップ（図示せず）を有するローダー２と、ローダー２を駆動制御するための大規模集積回路（ＬＳＩ）やトランス等から成る電子部品３と、これら各部材を収容する箱体形状の筐体４を備える。ローダー２の光ピックアップは、ＢＤ（Blu-ray Disc）、ＤＶＤ（digital versatile disc）又はＣＤ（Compact Disc）等の光ディスクに記録される情報の読み取りや、光ディスクへの情報の書き込みを行う。
【００１６】
筐体４は、天板５１を有するトップカバー５と、ローダー２や電子部品３が載置される底板６１を有するボトムシャーシ６と、ディスプレイ７１及び操作部７２が前面に配置されているフロントパネル７を有する。トップカバー５は、板状の重りであるトッププレート５２を有し、天板５１が電子部品３を覆うようにして、ボトムシャーシ６にねじ止めで取り付けられている。フロントパネル７は、開口部７３を有し、開口部７３からローダー２の前面を貫通させて、ローダー２の前面とフロントパネル７の前面をつらいちとした後、ボトムシャーシ６にねじ止めで取り付けられる。
【００１７】
トッププレート５２は、天板５１の下面に両面テープ５３を用いて貼り付けられる貼付面５４と、貼付面５４と反対側の面にバーリング加工などにより形成された凸部５５を有する。貼付面５４は、両面テープ５３との密着性を向上させるための加工が施されており、図１において灰色で示される。光ディスク装置１は、トッププレート５２によって装置の重量が重くなるので、光ピックアップの安定した動作を確保することができる。なお、凸部５５は、バーリング加工ではなく、円錐形状、角錐形状、円柱形状又は角柱形状などの部材が貼付面５４と反対側の面に取り付けられたものであってもよい。凸部５５の数、位置、突出高さ等は、特に限定されるものではないが、トッププレート５２を表裏逆にして天板５１に取り付けようとすると、不安定になって表裏が逆であることがわかるものであればよい。
【００１８】
ボトムシャーシ６は、トッププレート５２に当接する支持部である皿ねじ６２と、底板６１上に形成され、螺入した皿ねじ６２を保持する保持部６３を有する。保持部６３は、皿ねじ６２の螺入する長さを調整することで、皿ねじ６２の頭部の高さ位置を調整することができる。皿ねじ６２の頭部の高さ位置は、トップカバー５がボトムシャーシ６に取り付けられたときに、トッププレート５２に皿ねじ６２の頭部が接触する位置に調節する。なお、支持部は、皿ねじ６２以外にも、例えば底板６１上に立設され、トッププレート５２に当接する長さに調整された柱状の部材であってもよい。
【００１９】
上記のように構成された本実施形態の筐体４においては、作業者が間違えて貼付面５４と反対側の面でトッププレート５２をトップカバー５に取り付けようとしても、凸部５５が邪魔をして取り付けることができない。これにより、作業者が貼付面５４の判別を誤ることなくトッププレート５２をトップカバー５に貼り付けることができる。また、経年劣化などによる両面テープ５３の粘着力の低下によって、トッププレート５２が天板５１から脱離したとき、トッププレート５２が皿ねじ６２に支持されて落下しない。これにより、電子部品３が脱離したトッププレート５２と接触して損傷することを防止することができる。
【００２０】
なお、本発明は、上記の実施形態の構成に限られず、発明の要旨を変更しない範囲で種々の変形が可能である。例えば、上記実施形態では、電気機器が光ディスク装置であるものを示したが、電気機器がデジタルテレビ用チューナー、ゲーム機器などであっても構わない。
【符号の説明】
【００２１】
１  光ディスク装置（電気機器）
３  電子部品
４  筐体（電気機器用筐体）
５  トップカバー
５１  天板
５２  トッププレート
５４  貼付面
５５  凸部
６  ボトムシャーシ
６１  底板
６２  皿ねじ（支持部）
【図１】
2011129228.tif 000003
【図２】
2011129228.tif 000004
【図３】
2011129228.tif 000005
【図４】
2011129228.tif 000006
【図５】
2011129228.tif 000007